(57)【要約】【課題】上側メンテナンスパネルの組み立て誤差が生じても、操作パネルの外周縁と開口部の内周縁の間の隙間を均一に調整できる床置き型空気調和装置を提供することにある。【解決手段】筺体の上方に操作パネル取り付け金具を固定し、この操作パネル取り付け金具に対して位置調整を行うため移動可能に取り付けられた操作パネル係止金具に操作パネルを取り付け、操作パネル取り付け金具に対して操作パネル係止金具の位置を調整して上側メンテナンスパネルの開口部の内周縁と操作パネルの外周縁の間の隙間を調整する。これによれば、上側メンテナンスパネルの開口部に合わせて操作パネルの位置が調整できるので、上側メンテナンスパネルの組み立て誤差が生じても操作パネルの外周縁と開口部の内周縁の間の隙間を均一にでき、製品の意匠性を向上できるものである。【選択図】図３
2015222135.tif 000002
【特許請求の範囲】
【請求項１】
前正面に空気の吸い込み口とメンテナンスを行うための開放領域を備えた箱状の筺体と、前記筺体の内部に配置された制御箱、前記吸い込み口から送られてくる空気と熱交換する熱交換器、及び熱交換された空気を吹き出す送風装置と、前記吸い込み口の上側の前記筺体に設けられた操作パネルと、前記吸い込み口の上側の前記筺体の開放領域を塞ぐと共に、前記操作パネルを外部に露出させる開口部を形成した上側メンテナンスパネルとを備えた床置き型空気調和装置において、
前記筺体に操作パネル取り付け金具を固定し、前記操作パネル取り付け金具に対して位置調整を行う移動可能な操作パネル係止金具に前記操作パネルを取り付けたことを特徴とする床置き型空気調和装置。
【請求項２】
請求項１に記載の床置き型空気調和装置において、
前記上側メンテナンスパネルを取り付けた状態で、前記操作パネルによって前記操作パネル係止金具の位置を前記操作パネル取り付け金具に対して移動させて前記開口部の内周縁と前記操作パネルの外周縁の間の隙間を調整することを特徴とする床置き型空気調和装置。
【請求項３】
請求項２に記載の床置き型空気調和装置において、
前記操作パネル係止金具の前記上側メンテナンスパネル側の面に前記操作パネルが取り付けられ、前記操作パネル係止金具と前記上側メンテナンスパネルの内側を磁気的に吸着する永久磁石が前記操作パネル係止金具と前記上側メンテナンスパネルの間に介装されていることを特徴とする床置き型空気調和装置。
【請求項４】
請求項３に記載の床置き型空気調和装置において、
前記操作パネル係止金具の前記操作パネルが取り付けられている面とは反対側の面と前記操作パネル取り付け金具の間に、前記操作パネル係止金具を前記上側メンテナンスパネルに向けて付勢する弾性体が介装されていることを特徴とする床置き型空気調和装置。
【請求項５】
請求項３または請求項４に記載の床置き型空気調和装置において、
前記操作パネル係止金具と前記操作パネル取り付け金具の一方には係止部が形成されており、前記操作パネル係止金具と前記操作パネル取り付け金具の他方には前記係止部が移動できる係止孔が形成されており、前記係止部が前記係止孔に係止された状態で前記操作パネルを介して前記操作パネル係止金具を前記操作パネル取り付け金具に対して移動させて前記上側メンテナンスパネルの前記開口部の前記内周縁と前記操作パネルの前記外周縁の間の隙間を調整することを特徴とする床置き型空気調和装置。
【請求項６】
請求項３または請求項４に記載の床置き型空気調和装置において、
前記操作パネル係止金具の上下端面には係止孔が形成されており、前記操作パネル取り付け金具には、前記操作パネル係止金具の前記係止孔が挿通して前記操作パネル係止金具の上下端面が移動可能に係止される係止部、及び前記操作パネル係止金具の前記上下端面の移動を制限するため前記係止部を挟んで第１の停止部と第２の停止部が設けられており、前記操作パネル係止金具の前記係止孔が前記第１の停止部と前記第２の停止部の間の前記係止部で係止されていることを特徴とする床置き型空気調和装置。
【請求項７】
請求項６に記載の床置き型空気調和装置において、
前記操作パネル取り付け金具は、前記筺体に固定される操作パネル取り付け板と前記操作パネル取り付け板の上下に固定された取り付け金具よりなり、前記取り付け金具は前記係止部を挟んで上側に折り曲げられた２つの第１の停止部と、前記第１の停止部より先に延び前記係止部を形成して上側に折り曲げられた第２の停止部を備えており、前記パネル係止金具の前記係止孔が前記第１の停止部と前記第２の停止部の間の前記係止部で係止されていることを特徴とする床置き型空気調和装置。
【請求項８】
請求項３に記載の床置き型空気調和装置において、
前記操作パネル係止金具の前記上側メンテナンスパネル側の面に操作パネル収納部を形成し、この操作パネル収納部に前記操作パネルを収納した時に前記操作パネル収納部と前記操作パネルを着脱可能に固定する着脱機構を前記操作パネル収納部と前記操作パネルに設けたことを特徴とする床置き型空気調和装置。
【請求項９】
請求項１乃至請求項８のいずれかに記載の床置き型空気調和装置において、
前記操作パネルは、前記吸い込み口の上側の前記熱交換器の２次側の前記筺体に配置されていることを特徴とする床置き型空気調和装置。
【発明の詳細な説明】
【技術分野】
【０００１】
本発明は床置き型空気調和装置に係り、特に床置き型空気調和装置の前正面に操作パネルを取り付けた床置き型空気調和装置に関するものである。
【背景技術】
【０００２】
室内の床面に設置して室内の空調を行う床置き型空気調和装置は、床置き型空気調和装置を構成する筺体の内部に熱交換器路と送風機を設け、熱交換器を通して吸入され熱交換された空気を、電動機で回転される送風機によって室内に吹き出して空調作用を行うものである。このような床置き型空気調和装置は、例えば、工場での生産ラインの対人用空調、機械室の空調、保管倉庫の空調、駅構内の空調、及びホールなどの大空間の空調等に使用されるものである。
【０００３】
具体的な床置き型空気調和装置の構成としては、例えば、特開２０１１−５８６９０号公報（特許文献１）等に示されているような床置き型空気調和装置が一般的である。そして、この種の床置き型空気調和装置の操作パネルは、家庭用の壁掛け空気調和装置や天井吊り空気調和装置に使用されている赤外線を使用した無線式の操作パネル（リモコンスイッチ）ではなく、床置き型空気調和装置の筺体の前正面に取り付けられている。
【０００４】
床置き型空気調和装置では筺体の前正面の面積が大きく、また筺体の高さ寸法が人の身長に近いことから、一般的に操作パネルは筺体の前正面の人の視線の高さ付近（多少の上下の配置位置の調整は任意である）に配置されることが多い。また、筺体の前正面は内部装置の点検や修理（以下メンテナンス作業という）を行うための開放領域があり、この開放領域は通常ではメンテナンスパネルによって塞がれている。
【０００５】
このメンテナンスパネルは、筺体から取り外し可能な上側メンテナンスパネルと下側メンテナンスパネルより構成されているか、或いは筺体の上端側を中心にして外側上方に回動して開放される上側メンテナンスパネルと、筺体の下端側を中心にして外側下方に回動して開放される下側メンテナンスパネルより構成されている。
【０００６】
そして、上述した操作パネルは筺体の上方に取り付けられることから、操作パネルは上側メンテナンスパネルか、或いは上側メンテナンスパネルによって塞がれる筺体の上方に設けられることになる。ここで、上側メンテナンスパネルに操作パネルを取り付ける場合は、上側メンテナンスパネルの取り外し時には操作パネルの配線をつけたままメンテナンスパネルを取り外しするか、配線を取り外した後に上側メンテナンスパネルを筺体から取り外す必要がある。このように、操作パネルの電気的な接続部の脱着を繰り返すことは、メンテナンス作業が煩雑になるだけでなく、電気的接続部の信頼性の観点からも好ましいことでない。したがって、一般的には操作パネルは筺体の上方に取り付けられることが多くなっている。
【先行技術文献】
【特許文献】
【０００７】
【特許文献１】特開２０１１−５８６９０号公報
【発明の概要】
【発明が解決しようとする課題】
【０００８】
そして、メンテナンス作業の容易性や電気的接続部の信頼性の観点から、操作パネルを筺体の上方に取り付けると、操作パネルの操作スイッチ等の操作を行うために上側メンテナンスパネルには、操作パネルが収容される開口部を形成して操作パネルを外部に露出させる必要がある。更には、上側メンテナンスパネルの組み立て誤差等によって開口部と操作パネルの取り付け位置のずれがあることから、上側メンテナンスパネルの開口部は、上側メンテナンスパネルの着脱時に操作パネルが開口部に接触して傷つかないように操作パネルの外周縁に対して大きくする必要がある。
【０００９】
しかしながら、操作パネルの外周縁に比べて開口部を大きく形成すると、上側メンテナンスパネルの組み立て誤差等によって、操作パネルの外周縁と開口部の内周縁の間の隙間が均一とならないことから見栄えが悪くなり、製品意匠としてみると完成度が充分でないという課題があった。また、操作パネルと開口部の間の隙間から空気が流入して吸込み音が生じるのを防ぐため、操作パネルの外周縁、或いは開口部の内周縁に気密保持パッキンを介装する場合もあるが、この時も操作パネルの外周縁と開口部の内周縁の間の隙間が均一とならないことから、気密保持パッキンとの間に隙間が生じて吸込み音が発生するという課題があった。
【００１０】
本発明の目的は、操作パネルの外周縁と上側メンテナンスパネルの開口部の内周縁の間の隙間を均一になるように調整できる床置き型空気調和装置を提供することにある。
【課題を解決するための手段】
【００１１】
本発明の特徴は、筺体の上方に操作パネル取り付け金具を固定し、この操作パネル取り付け金具に対して位置調整を行うため移動可能に取り付けられた操作パネル係止金具に操作パネルを取り付け、操作パネル取り付け金具に対して操作パネル係止金具の位置を調整して上側メンテナンスパネルの開口部の内周縁と操作パネルの外周縁の間の隙間を調整する、ところにある。
【発明の効果】
【００１２】
本発明によれば、上側メンテナンスパネルの開口部に合わせて操作パネルの位置が調整できるので、上側メンテナンスパネルの組み立て誤差が生じても操作パネルの外周縁と開口部の内周縁の間の隙間を均一にでき、製品の意匠性を向上できるものである。
【００１３】
また、操作パネルの外周縁、或いは開口部の内周縁に気密保持パッキンを介装する場合では、操作パネルの外周縁と開口部の内周縁の間の隙間が均一となるので気密保持パッキンとの間に隙間が生じず吸込み音が発生することを抑制できるものである。
【図面の簡単な説明】
【００１４】
【図１】本発明が適用される床置き型空気調和装置の概略の内部構成を示す構成図である。
【図２】図１に示す床置き型空気調和装置のＡ−Ａ断面を示す断面図である。
【図３】本発明の一つの実施形態になる上側メンテナンスパネルと操作パネルの取り付け状態を説明する外観斜視図である。
【図４】操作パネルを取り付けた操作パネル係止金具を操作パネル取り付け金具に取り付けた状態を前正面から見た正面図である。
【図５】操作パネルと操作パネル係止金具の構成を示す外観斜視図である。
【図６】操作パネル係止金具の構成を示す外観斜視図である。
【図７】操作パネル取り付け金具の構成を示す外観斜視図である。
【図８】操作パネル取り付け金具を構成する取り付け金具の外観斜視図である。
【図９】操作パネルを取り付けた操作パネル係止金具と操作パネル取り付け金具の取り付け状態を説明する外観斜視図である。
【図１０】操作パネルを取り付けた操作パネル係止金具を操作パネル取り付け金具に取り付けた状態を説明する部分外観斜視図である。
【図１１Ａ】操作パネルを取り付けた操作パネル係止金具を操作パネル取り付け金具に取り付ける前の状態を説明する断面図である。
【図１１Ｂ】操作パネルを取り付けた操作パネル係止金具を操作パネル取り付け金具に取り付けた後の状態を説明する断面図である。
【図１２】操作パネルを操作パネル係止金具から取り外す状態を説明するための操作パネルと操作パネル係止金具の断面図である。
【図１３】操作パネルと操作パネル係止金具を筺体内側から見た時の状態を説明する外観斜視図である。
【発明を実施するための形態】
【００１５】
以下、本発明の実施形態について図面を用いて詳細に説明するが、本発明は以下の実施形態に限定されることなく、本発明の技術的な概念の中で種々の変形例や応用例をもその範囲に含むものである。
【００１６】
本発明の具体的な実施例を説明する前に、本発明が適用される床置き型空気調和装置の構成を簡単に説明する。図１は上側メンテナンスパネルと下側メンテナンスパネルを取り外した状態の床置き型空気調和装置の前正面を示しており、図２はその縦断面を示している。
【００１７】
図１、図２において、参照番号１０は床置き型空気調和装置の筐体を示しており、この筺体１０は鉄板等で作られており前正面が開放された箱状に形成されている。この筺体１０の内部には下側から制御箱１１、上下斜め方向に配置された熱交換器１２、送風機１５が配置されている。筺体１０の前正面の中央付近には吸い込み口１４が設けられており、この吸い込み口１４から吸い込まれた室内空気は熱交換器１２で熱交換され、冷気、或いは暖気として送風装置１３側に送り込まれている。
【００１８】
送風機１５の回転軸にはプーリ１７があり、電動機１６の回転軸に取り付けられたプーリ１７との間をベルトによって動力伝達し、回転数を調整できる構成となっている。したがって、熱交換器１２で熱交換された空気は送風機１５によって外部に吹き出されて室内を空調するものである。
【００１９】
筺体１０の前正面の上方右側には操作パネル１８が取り付けられており、操作パネル１８は図示しない配線によって制御箱１１に接続されている。操作パネル１８は筺体１０に設けられたフレーム等の固定部材に取り付けられるものであり、従来は取り付けねじ等を使用して移動不能に固定していた。本発明では以下に述べるように取り付け位置が調整可能な取り付け方法によって取り付けられるものである。（これについては以下で詳細に説明する。）また、制御箱１１は操作パネル１８から入力された制御信号に基づいて電動機１６の回転数や、熱交換機１２に流入してくる冷媒の温度や量を調整する機能、タイマ機能等を備えている。
【００２０】
図１では、上側メンテナンスパネル及び下側メンテナンスパネルが省略されているが、両メンテナンスパネルは板状に形成されており、これによって図１に示した吸い込み口１４を境にして、筺体１０の上側の開放領域と下側の開放領域を覆うものである。尚、吸い込み口１４から空気を吸い込むため、両メンテナンスパネルは筺体１０の前正面の開放領域と気密を保って覆う構成となっている。
【００２１】
更に、上側メンテナンスパネルには操作パネル１８が覗く開口部が形成されており、上側メンテナンスパネルを取り付けた状態で操作パネル１８は開口部の内周縁内に位置するようになる。尚、上側メンテナンスパネルを取り外す理由は、送風機１５の送風量を変更するためプーリ１７を交換したり、また、電動機１６とプーリ１７の間のベルトの張力調整や交換作業等のメンテナンス作業を行うためである。また、下側メンテナンスパネルを取り外す理由は、熱交換器１２の清掃や制御箱１１のメンテナンス作業を行うためである。
【００２２】
以上のような構成の床置き型空気調和装置において、次に本発明の実施形態を説明する。本発明の基本的な考え方は、上側メンテナンスパネルを取り付けた状態で操作パネル１８の取り付け位置を調整可能とすることで、上側メンテナンスパネルの開口部の内周縁と操作パネル１８の外周縁の間の隙間を均一にすることである。
【００２３】
図３は操作パネル１８と上側メンテナンスパネルの取り付け構造を示しており、上側メンテナンスパネル１９の下部右側には操作パネル１８が収納される矩形の開口部２０が形成されている。この開口部２０は操作パネル１８の外周縁１８Ａの形状とほぼ一致する矩形の内周縁２０Ａを備えており、操作パネル１８の外周縁１８Ａより大きい開口として形成されている。上側メンテナンスパネル１９は鉄製で板状に形成されたものであり、後述するパネル係止合金具２１に固定された永久磁石２２を磁気的に吸着することができる。
【００２４】
操作パネル１８は操作パネル係止金具２１に取り付けられており、この操作パネル係止金具２１は、筺体１０にねじによって固定された操作パネル取り付け金具２３の取り付け金具２４Ａ、２４Ｂに係合する構成となっている。取り付け金具２４Ａ、２４Ｂは筺体１０に固定される操作パネル取り付け板２５の上側と下側に溶接によって固定されており、取り付け金具２４Ａ、２４Ｂと操作パネル取り付け板２５とで操作パネル取り付け金具２３を構成している。この２つの取り付け金具２４Ａ、２４Ｂによって操作パネル係止金具２１を係止して、操作パネル１８が落下しないように支えている。
【００２５】
操作パネル係止金具２１と操作パネル取り付け板２５の間には、操作パネル係止金具２１を操作パネル取り付け板２５から遠ざけるように付勢された弾性体２６が介在されている。本実施例では、弾性体２６として発泡された弾性を備えた合成樹脂、例えばウレタンシートが使用されており、このウレタンシートは、操作パネル係止金具２１の操作パネル１８が取り付けられている面とは反対側の面に固着されている。したがって、この弾性体２６の弾性作用によって操作パネル係止金具２１は取り付け板２５から離れる方向の力が作用することになる。これによって操作パネル係止金具２１が操作パネル取り付け金具２３の所定位置に留まるようにしている。この操作パネル取り付け金具３と操作パネル係止金具２１の係止形態は後で詳細に説明する。
【００２６】
尚、本実施例では弾性体２６としてウレタンシートを使用しているが、これに限らずコイルばね、板状ばね、或いは合成樹脂で作られた弾性片を使用することもできる。要は、操作パネル係止金具２１を操作パネル取り付け板２５から遠ざける機能を有していれば良いものである。
【００２７】
また、操作パネル係止金具２１と上側メンテナンスパネル１９の間には永久磁石２２が介在されている。本実施例では、永久磁石２２は操作パネル係止金具２１の操作パネル１８が取り付けられている面側の一部に固着されている。したがって、この永久磁石２２は上側メンテナンスパネル１９が取り付けられた時に、上側メンテナンスパネル１９の内側面に吸着され、これによって操作パネル係止金具２１が操作パネル取り付け金具２３の所定位置に留まるようにしている。本実施例では永久磁石２２と弾性体２６を使用して操作パネル係止金具２１が操作パネル取り付け金具２２の所定位置に留まるようにしているが、どちらか一方で操作パネル係止金具２１の取り付け位置を維持できる場合は、どちらか一方を使用しても差し支えないものである。
【００２８】
図４は操作パネルを取り付けた操作パネル係止金具２１を操作パネル取り付け金具２３に取り付けた状態を前正面から見た図である。この図では上側メンテナンスパネル１９は省略しているが、開口部２０に相当する部分を破線で示している。そして、筺体１０に取り付けられた操作パネル１８の操作面は破線で示す上側メンテナンスパネル１９の開口部２０に露出しており、この露出された操作面に設けた操作スイッチ類で制御箱１１に入力信号を送るようになっている。操作スイッチ類は配線コードＳによって制御箱１１と接続されている。
【００２９】
次に操作パネル１８と操作パネル係止金具２１の構成について説明する。図５にあるように、操作パネル１８は矩形に形成された合成樹脂からなる箱状容器に図示しない電気接点や表示装置の入出回路等が内蔵されている。そして、その表面には液晶表示画面２７や操作スイッチ２８が設けられている。この操作パネル１８の上部側面１８Ｂと下部側面１８Ｃには係合孔２９が形成されており、この係合孔２９は操作パネル係止金具２１に操作パネル１８を着脱自在に固定するための機能を備えている。
【００３０】
操作パネル係止金具２１の中央付近には、合成樹脂で作られた有底箱状の操作パネル収納部３０が図示しないねじによって固定されており、この操作パネル収納部３０内に操作パネル１８が収納配置されるものである。尚、操作パネル収納部３０は操作パネル係止金具２１とインサートモールドによって一体的に同時に形成することも可能である。更に、操作パネル１８を操作パネル収納部３０に固定保持するため、操作パネル収納部３０の底部から立ち上がる係合爪３１が操作パネル１８の係合孔２９に係合している。係合爪３１は弾性を備えており、操作パネル１８を操作パネル収納部３０に向けて押圧すると、係合爪３１は弾性によって変形してスナップアクションで係合孔２９に係合することができる。したがって、操作パネル１８を取り外す時は、係合爪３１を内側に押し込んで変形させて係合孔２９の係合を解除してやれば良いものである。このような係合構造自体は良く知られているので、これ以上の説明は省略する。
【００３１】
また、操作パネル係止金具２１の操作パネル１８が取り付けられている面とは反対側の面には、上述したような操作パネル係止金具２１を操作パネル取り付け板２５から遠ざける機能を有する弾性体２６が固定されている。尚、本実施例では弾性体２６はウレタンシートを使用しているが、操作パネル収納部３０を形成する合成樹脂によって一体的に成形された弾性片を使用することも可能である。このようにすれば、部品点数を少なくできる、組み立て工数を低減できるという効果が期待できる。
【００３２】
操作パネル係止金具２１は、図５、図６にあるように矩形の鉄板から打ち抜き加工で作られており、上下端面２１Ａには対称位置に矩形の貫通した係止孔３２が形成されている。係止孔３２の形状は、操作パネル取り付け金具２３に設けた取り付け金具２４Ａ、２４Ｂに対して、上下方向、及び左右方向に所定の距離だけ移動できる程度の長さに決められており、これによって操作パネル係止金具２１が操作パネル取り付け金具２３に対して位置調整が可能なようにしている。
【００３３】
係止孔３２が形成された操作パネル係止金具２１の上下端面２１Ａは、係止孔３２を挟んで「コ」状に切り欠かれており、この切り欠き部分でパネル係止部２１の上下端面２１Ａの両端が切り起こされて、切り起こし部３３が形成されている。更に、切り起こし部３３の先端側が操作パネル係止金具２１の面と平行に折り曲げられて折り曲げ部３４が形成されている。この折り曲げ部３４は上側メンテナンスパネル１９と対向するように折り曲げられており、この折り曲げ部３４の表面に永久磁石２２が接着剤によって強固に固定されている。以上のような構成によって、操作パネル１８と操作パネル係止金具２１とが一体化されて、後述するように操作パネル取り付け金具２３に取り付けられるものである。
【００３４】
次に、操作パネル取り付け金具２３について説明する。図７に示している通り、操作パネル取り付け金具２３は、操作パネル取り付け板２５と取り付け金具２４Ａ、２４Ｂとから構成されている。図８に示す取り付け金具２４Ａ、２４Ｂは同じものが使用されており、操作パネル係止金具２１が取り付けられた状態の係止孔３２の位置に対応する位置に溶接によって操作パネル取り付け板２５の上側と下側に固定されている。
【００３５】
取り付け金具２４Ａ、２４Ｂは、操作パネル取り付け板２５の表面から立ち上がり、途中で上側に折り曲げられた２つの第１の折り曲げ停止部３５と、２つの折り曲げ停止部３５の間で折り曲げ停止部３５より更に前側に延びる係止部３６と、この係止部３６の先端側で上側に折り曲げられた第２の折り曲げ停止部３７とを備えている。第２の折り曲げ部３７を含む係止部３６は操作パネル係止金具２１の係止孔３２を挿通できる形状に寸法が決められている。
【００３６】
また、図１０に示しているように２つの第１の折り曲げ停止部３５の間の距離Ｈは係止孔３２の横方向の長辺の長さＲより長くなっており、操作パネル係止金具２１が操作パネル取り付け金具２３に取り付けられた時に、操作パネル係止金具２１の上下端面２１Ａが２つの第１の折り曲げ停止部３５に当接して操作パネル係止金具２１の移動を阻止する構成とされている。そして、操作パネル取り付け金具２３は筺体１０の所定の場所にねじ等を用いて固定されるものである。
【００３７】
次に、操作パネル１８を一体化した操作パネル係止金具２１を操作パネル取り付け金具２３に取り付ける場合を説明する。図９では操作パネル１８、弾性体２６等は破線で示しており、また図１０では操作パネル１８を省略している。
【００３８】
図９及び図１０において、上側メンテナンスパネル１９が取り外された状態で、操作パネル係止金具２１の上下端面２１Ａに形成した係止孔３２は、操作パネル取り付け金具２３の取り付け金具２４Ａ、２４Ｂの第２の折り曲げ停止部３７を通過して係止部３６に至る。ここで、図１０にあるように、２つの第１の折り曲げ停止部３５の間の距離Ｈは係止孔３２の横方向の長辺の長さＲより長くなっており、この結果、操作パネル係止金具２１の上下端面２１Ａが２つの第１の落ち曲げ停止部３５に当接して、操作パネル係止金具２１の移動が阻止されることになる。
【００３９】
この状態で、操作パネル係止金具２１の上下端面２１Ａは第１の折り曲げ停止部３５と第２の折り曲げ停止部３７の間に位置することになる。第１の折り曲げ停止部３５は操作パネル係止金具２１を操作パネル取り付け金具２３側に押し込んだ時の「沈み込み」を防ぐ機能を備えているものである。つまり、所定距離以上の操作パネル係止金具２１の「沈み込み（押し込み）」を制限することで、上側メンテナンスパネル１９の開口部２０との段差が過度に形成できないようにしている。また、これとは別に、使用者によって操作パネル１８のスイッチ２８が強く押された場合に、操作パネル１８の「沈み込み」を抑えているので、操作スイッチ２８の操作を確実に行うことができるものである。仮に第１の折り曲げ停止部３５が無く、使用者によって操作パネル１８のスイッチ２８が強く押された場合に操作パネル１８が沈み込むと、操作スイッチ２８が十分に押し込まれず正常な入力ができないといった現象を生じる恐れがある。本実施例によれば操作パネル１８の「沈み込み」を抑えているので、操作スイッチ２８を十分に押し込むことができ正常な入力操作が可能となる。
【００４０】
また、第２の折り曲げ停止部３７は操作パネル係止金具２１の上下端面２１Ａが脱落するのを防ぐ機能を備えている。例えば上側メンテナンスパネル１９を取り外した状態では、弾性体２６によってパネル係止部材２１は操作パネル取り付け金具２３から遠ざかるように付勢されている。このため、第２の折り曲げ停止部３７が無いと、操作パネル係止金具２１の上下端面２１Ａが取り付け金具２４、Ａ２４Ｂの係止部３６から脱落する恐れがある。このため、取り付け金具２４、Ａ２４Ｂには第２の折り曲げ停止部３７を形成することで、操作パネル係止金具２１の上下端面２１Ａが所定距離を越えて移動するのを制限して操作パネル係止金具２１が脱落するのを防ぐ構成としている。
【００４１】
更に、操作パネル係止金具２１の上下端面２１Ａに形成した係止孔３２の横方向の長辺の長さＲは、取り付け金具２４Ａ、２４Ｂの係止部３６の幅Ｌより長くなるように決められている。したがって、パネル係止部２１は係止孔３２の長辺の長さＲと取り付け金具２４Ａ、２４Ｂの係止部３６の幅Ｌの差分だけ横方向（左右方向）に移動可能である。これによって操作パネル係止金具２１の横方向の位置調整が可能となる。
【００４２】
また、操作パネル係止金具２１の上下端面２１Ａに形成した係合孔３２の縦方向の短辺の長さＫは、取り付け金具２４Ａ、２４Ｂの係止部３６の厚さより長く決められている。したがって、パネル係止部２１は係止孔３２の短辺の長さＫと取り付け金具２４Ａ、２４Ｂの厚さの差分だけ縦方向（上下方向）に移動可能である。これによって操作パネル係止金具２１の縦方向の位置調整が可能となる。
【００４３】
次に、実際にメンテナンス作業が終了した時に操作パネル１８を筺体１０に再装着する場合を説明する。図１１Ａ、図１１Ｂは操作パネル１８の交換、或いは操作パネル１８の修理のため操作パネル１８を筺体１０から取り外し、その後に操作パネル１８の交換、或いは操作パネル１８の修理が終了した状態からの取り付け状態を示している。
【００４４】
図１１Ａにおいて、上側メンテナンスパネル１９を取り外した状態で、操作パネル係止金具２１には操作パネル１８、永久磁石２２及び弾性体２６が一体化されている。操作パネル１８、永久磁石２２及び弾性体２６が一体化された操作パネル係止金具２１の上下端面２１Ａの係止孔３２を、図１０に示すように取り付け金具２４Ａ、２４Ｂの係止部３６に挿通するべく移動させ、操作パネル係止金具２１を操作パネル取り付け金具２３に係止させる。ここで、弾性体２６の弾発作用によって、操作パネル係止金具２１の係止孔３２の周囲の上下端面２１Ａと第２の折り曲げ停止部３７が当接した状態となる。
【００４５】
この状態で図１１Ｂに示すように、上側メンテナンスパネル１９の開口部２０と操作パネル１９を位置合わせして、上側メンテナンスパネル１９を筺体１０に取り付けるわけであるが、上述したように上側メンテナンスパネル１９と筺体１０の間の組み立て誤差等によって、上側メンテナンスパネル１９の開口部２０の内周縁２０Ａと操作パネル１８の外周縁１８Ａの間の隙間が均一にならない場合が発生する。
【００４６】
例えば、操作パネル１８の上辺と下辺とこれに対応する開口部２０の上辺と下辺の間の隙間や、操作パネル１８の２つの側辺とこれに対応する開口部２０の２つの側辺の間の隙間が不均一になる現象が生じることになる。
【００４７】
そこで、本実施例においては上側メンテナンスパネル１９を筺体１０に取り付けた状態で、操作パネル１８に所定の力を加えて操作パネル係止金具２１の位置調整を行うようにしている。図１０にあるように、操作パネル係止金具２１の係止孔３２と取り付け金具２４Ａ、２４Ｂの係止部３６との間で、操作パネル係止金具２１は操作パネル取り付け金具２３に対して、左右方向及び上下方向に移動できる。したがって、操作パネル１８の位置調整を行うことで、開口部２０の内周縁２０Ａと操作パネル１８の外周縁１８Ａの間の隙間を均一にすることができる。
【００４８】
ここで、操作パネル係止金具２１の折り曲げ部３４に固着した永久磁石２２によって、操作パネル係止金具２１は上側メンテナンスパネル１９に吸着され、同様に弾性体２６によって操作パネル係止金具２１は上側メンテナンスパネル１９側に押圧されている。そして、本実施例では通常の操作パネル１８の操作スイッチ２８を操作する力より強い力で操作パネル係止金具２１を移動できるように設定してあるので、操作パネル係止金具２１の位置調整は問題なく実施できる。尚、上側メンテナンスパネル１９は全体が鉄製であるが、少なくとも永久磁石２２が位置する部分だけ鉄製の板で構成し、その他を合成樹脂で作ることも可能である。
【００４９】
この位置調整のための力の調整は、永久磁石２２の吸着力や弾性体２６の弾発力によって調整でき、通常の操作スイッチ２８の操作力で移動しない適切な値に調整すれば良いものである。したがって、特別の工具を用いなくても操作パネル１８の位置調整が可能となるものである。尚、本実施例では永久磁石２２と弾性体２６を併用しているが、上述しているように永久磁石２２、或いは弾性体２６のいずれかを用いるようにしても良いことは言うまでもない。
【００５０】
また、通常の操作パネル１８の操作スイッチ２８を操作する力より強い力で操作パネル係止金具２１を移動できるように設定してあるので、通常の操作スイッチの操作を行っても操作パネル１８の「沈み込み」を発生することが無く、操作する上での違和感を使用者に感じさせないものである。
【００５１】
このように、本実施例によれば操作パネル１８の取り付け位置を上側メンテナンスパネル１９の開口部２０に合わせて調整できるので、操作パネル１８の外周縁１８Ａと開口部２０の内周縁２０Ａとの間の隙間を均一に調整することができる。これによって、製品の意匠性を向上でき、また、操作パネル１８の外周縁１８Ａ、或いは上側メンテナンスパネル１９の開口部２０の内周縁２０Ａに気密保持パッキンを介装する場合では、操作パネル１８の外周縁１８Ａと開口部２０の内周縁２０Ａの間の隙間が均一となるので気密保持パッキンとの間に隙間が生じず、吸込み音が発生することを抑制できるものである。
【００５２】
ここで、操作パネル１８は熱交換器１２の２次側に配置されている。熱交換器１２の２次側とは、吸いこみ口１４から吸い込まれた空気が熱交換器１２で熱交換された後の送風装置１３側を意味している。
【００５３】
更に、上述した実施例では、操作パネル係止金具２１に係止孔３２を設け、操作パネル取り付け金具２３の取り付け金具２４Ａ、２４Ｂに係止部３６等を設けるようにしているが、これを逆の関係に置き換えることもでき、操作パネル取り付け金具２３に係止孔３２を設け、操作パネル係止金具２１に取り付け金具２４Ａ、２４Ｂ設けるようにしても良いものである。
【００５４】
次に、操作パネル１８だけを交換、或いは修理する場合の構成について図１２を用いて説明する。図５にも示されているが、操作パネル１８上部側面１８Ｂと下部側面１８Ｃには係合孔２９が形成されている。また、合成樹脂で作られた有底箱状の操作パネル収納部３０の底部から立ち上がる係合爪３１が操作パネル１８の係合孔２９に弾性的に係合している。
【００５５】
そして、操作パネル係止金具２１の上下端面２１Ａと折り曲げ部３４の間には、切り起こし部３３によって形成された矩形の開口３８が形成されている。したがって、操作パネル１８だけを取り外す時は、開口３８から先がとがった工具で係合爪３１を内側に押し込んで変形させ、係合孔２９との係合を解除してやれば操作パネル１８だけを取り外すことができる。
【００５６】
尚、操作パネル収納部３０の所定部位には接触端子が設けられており、この接触端子に供給される電力や信号は、制御箱１１より配線Ｓにより供給される構成である。
【００５７】
そして、操作パネル１８の交換や修理の際は、開口３８から先がとがった工具で係合爪３１を内側に押し込んで変形させ、係合孔２９との係合を解除してやれば操作パネル１８だけを取り外すことができる。このため、電源、信号端子を取り外すことが必要なくなり、その作業が極めて簡単となる。更には、電源、信号端子を取り外さないので信頼性を向上することが可能となる。
【００５８】
次に、図１３を用いて上側メンテナンスパネル１９の開口部２０の改良された構成を説明する。上側メンテナンスパネル１９の内側の開口部２０の周囲には、開口部２０に沿って立ち上がった開口壁３９が形成されている。そして、この開口壁３９の内周には気密保持パッキン４０が取り付けられている。
【００５９】
したがって、上側メンテナンスパネル１９を取り付けた時に、操作パネル１８の外周縁１８Ａと開口壁３９の内周に取り付けた気密保持パッキン４０が圧接された状態となり、開口部２０の内周縁２０Ａと操作パネル１８の外周縁１８Ａの間の隙間からの空気の侵入を防止することが可能となる。そして、操作パネル１８の外周縁１８と開口部２０の内周縁２０Ａの間の隙間が均一とならない場合は、気密保持パッキン４０との間に隙間が生じて吸込み音が発生する恐れがあるが、本実施例によれば操作パネル１８の外周縁１８Ａと開口部２０の内周縁２０Ａの間の隙間が均一となるので気密保持パッキン４０との間に隙間が生じず、吸込み音が発生することを抑制できるものである。
【００６０】
以上述べた通り、本発明は筺体の上方に操作パネル取り付け金具を固定し、この操作パネル取り付け金具に対して位置調整が可能な操作パネル係止金具を介して操作パネルを取り付け、上側メンテナンスパネルの開口部の内周縁と操作パネルの外周縁の間の隙間が均一になるように操作パネル取り付け金具に対して操作パネル係止金具の位置を調整可能に構成したものである。
【００６１】
これよれば、上側メンテナンスパネルの開口部に合わせて操作パネルの位置が調整できるので、上側メンテナンスパネルの組み立て誤差が生じても操作パネルの外周縁と開口部の内周縁の間の隙間を均一にでき、製品の意匠性を向上できるものである。また、操作パネルの外周縁、或いは開口部の内周縁に気密保持パッキンを介装する場合では、操作パネルの外周縁と開口部の内周縁の間の隙間が均一となるので気密保持パッキンとの間に隙間が生じず吸込み音が発生することを抑制できるものである。
【符号の説明】
【００６２】
１０…筐体、１１…制御箱、１２…熱交換器、１４…吸い込み口、１５…送風機、１６…電動機、１７プーリ、１８…操作パネル、１９…上側メンテナンスパネル、２０…開口部、２１…操作パネル係止金具、２２…永久磁石、２３…操作パネル取付金具、２４Ａ、２４Ｂ…取り付け金具、２５…操作パネル取り付け板、２６…弾性体、２７…液晶表示面、２８…操作スイッチ、２９…係合孔、３０…操作パネル収納部、３１…係止爪、３２…係止孔、３３…切り起こし部、３４…折り曲げ部、３５…第１の折り曲げ停止部、３６…係止部、３７…第２の折り曲げ停止部、３８…操作パネル係止金具の開口部、３９…開口壁、４０…気密保持パッキン。
【図１】
2015222135.tif 000003
【図２】
2015222135.tif 000004
【図３】
2015222135.tif 000005
【図４】
2015222135.tif 000006
【図５】
2015222135.tif 000007
【図６】
2015222135.tif 000008
【図７】
2015222135.tif 000009
【図８】
2015222135.tif 000010
【図９】
2015222135.tif 000011
【図１０】
2015222135.tif 000012
【図１１Ａ】
2015222135.tif 000013
【図１１Ｂ】
2015222135.tif 000014
【図１２】
2015222135.tif 000015
【図１３】
2015222135.tif 000016